(57)【要約】【課題】湯沸かし容器に水が供給された場合でも湯温の低下を防止し、設定した温度の湯を取り出すことを可能にする。【解決手段】水２を収容する貯水タンク１１と、貯水タンク１１より供給された水２を収容し加熱する湯沸かし容器１と、湯沸かし容器１内を上部収納部１ａと下部収納部１ｂとに分割する椀状の隔離部材２９と、湯沸かし容器１内の水２を加熱する加熱手段３と、上部収納部１ａに連通し貯水タンク１１の水２を湯沸かし容器１に送るための給水路１７と、下部収納部１ｂに連通し湯沸かし容器１内の水２を器体外に取り出すための導出路５とを備え、加熱手段３は下部収納部１ｂを加熱する構成とすることで、湯沸かし容器１に水が供給された場合でも湯温の低下を防止し、設定した温度の湯を取り出すことができる。【選択図】  図１
2004350830.tif 000002
【特許請求の範囲】
【請求項１】
水を収容する貯水タンクと、前記貯水タンクから供給される水を収容する湯沸かし容器と、前記湯沸かし容器内を上部収納部と下部収納部とに分割する隔離部材と、前記湯沸かし容器内の水を加熱する加熱手段と、前記上部収納部に連通し前記貯水タンクの水を前記湯沸かし容器に送るための給水路と、前記下部収納部に連通し前記湯沸かし容器内の水を器体外に取り出すための導出路とを備え、前記加熱手段は下部収納部を加熱する電気湯沸かし器。
【請求項２】
水を収容する貯水タンクと、前記貯水タンクから供給される水を収容する湯沸かし容器と、前記湯沸かし容器内を上部収納部と下部収納部とに分割する隔離部材と、前記湯沸かし容器内の水を加熱する加熱手段と、前記下部収納部に連通し前記貯水タンクの水を前記湯沸かし容器に送るための給水路と、前記上部収納部に連通し前記湯沸かし容器内の水を器体外に取り出すための導出路とを備え、前記加熱手段は下部収納部を加熱する電気湯沸かし器。
【請求項３】
貯水タンクから湯沸かし容器へ連続して給水する最大量は、湯沸かし容器の下部収納部の容量以下である請求項２に記載の電気湯沸かし器。
【請求項４】
給水路は湯沸かし容器内の水の満水量液面よりも上方から湯沸かし容器内に連通し、湯沸かし容器内の下部収納部に連通する請求項２または３に記載の電気湯沸かし器。
【請求項５】
隔離部材には、下部収納部から上部収納部の方向に気体または水が移動できる逆止弁を設けた請求項１〜４のいずれか１項に記載の電気湯沸かし器。
【請求項６】
隔離部材を湯沸かし容器の底部に着脱可能に配置した請求項１〜５のいずれか１項に記載の電気湯沸かし器。
【請求項７】
水を収容する貯水タンクと、前記貯水タンクから供給される水を収容する湯沸かし容器と、前記湯沸かし容器内の水を加熱する加熱手段と、前記貯水タンクの水を前記湯沸かし容器に送るための給水路と、前記湯沸かし容器内の水を器体外に取り出すための導出路とを備え、前記導出路の前記湯沸かし容器への受水口は前記給水路の前記湯沸かし容器への給水口よりも上方に設けた電気湯沸かし器。
【請求項８】
貯水タンクから湯沸かし容器へ連続して給水する最大量は、湯沸かし容器の受水口よりも下部の液量以下である請求項７に記載の電気湯沸かし器。
【発明の詳細な説明】
【０００１】
【発明の属する技術分野】
本発明は一般家庭または事務所等で使用される電気湯沸かし器に関し、特に湯沸かし容器に併設して貯水タンクを備えたものである。
【０００２】
【従来の技術】
従来、この種の電気湯沸かし器としては、湯沸かし容器の下部に貯水タンクを配し、湯沸かし容器内の湯が所定量までに減少したとき、それを検知し、湯沸かし容器と貯水タンクとを連結する給水管を介して貯水タンクの水を湯沸かし容器に自動的に補給するようにしていた（例えば、特許文献１参照）。
【０００３】
【特許文献１】
特開平５−２９３０４６号公報
【０００４】
【発明が解決しようとする課題】
しかしながら、前記従来の構成では、湯沸かし容器に水が供給された場合に、湯沸かし容器内の水の温度が低下し、給水直後では高温の湯を取り出すことができないという課題があった。
【０００５】
本発明は、前記従来の課題を解決するもので、湯沸かし容器に水が供給された場合でも設定した温度の水を取り出すことが可能な電気湯沸かし器を提供することを目的とする。
【０００６】
【課題を解決するための手段】
前記従来の課題を解決するために、本発明の電気湯沸かし器は、湯沸かし容器内を上部収納部と下部収納部とに隔離部材で分割し、上部収納部に貯水タンクの水を供給するとともに、下部収納部から湯沸かし容器内の水を器体外に取り出すようにし、加熱手段は下部収納部を加熱するようにしたものである。
【０００７】
これにより、湯沸かし容器の上部収納部に水が供給された直後でも、下部収納部の湯は高温であり、設定した温度の水を取り出すことが可能となるものである。
【０００８】
【発明の実施の形態】
請求項１に記載の発明は、水を収容する貯水タンクと、前記貯水タンクから供給される水を収容する湯沸かし容器と、前記湯沸かし容器内を上部収納部と下部収納部とに分割する隔離部材と、前記湯沸かし容器内の水を加熱する加熱手段と、前記上部収納部に連通し前記貯水タンクの水を前記湯沸かし容器に送るための給水路と、前記下部収納部に連通し前記湯沸かし容器内の水を器体外に取り出すための導出路とを備え、前記加熱手段は下部収納部を加熱する電気湯沸かし器とすることにより、湯沸かし容器の上部収納部に水が供給された直後でも、下部収納部の湯は高温であり、設定した温度の水を取り出すことが可能となるものである。また、沸騰した湯が欲しいときでも、湯沸かし容器内全体の湯を加熱する必要がなく、下部収納部の湯を加熱するだけでよく、非常に短時間で必要とする湯を得ることができるため、使い勝手が向上し消費電力の無駄を少なくすることができる。
【０００９】
請求項２に記載の発明は、水を収容する貯水タンクと、前記貯水タンクから供給される水を収容する湯沸かし容器と、前記湯沸かし容器内を上部収納部と下部収納部とに分割する隔離部材と、前記湯沸かし容器内の水を加熱する加熱手段と、前記下部収納部に連通し前記貯水タンクの水を前記湯沸かし容器に送るための給水路と、前記上部収納部に連通し前記湯沸かし容器内の水を器体外に取り出すための導出路とを備え、前記加熱手段は下部収納部を加熱する電気湯沸かし器とすることにより、貯水タンクから給水された温度の低い水が湯沸かし容器の上部収納部に収容された湯と直ぐに混合しないため、給水された直後でも高温の湯を得ることができる。
【００１０】
請求項３に記載の発明は、貯水タンクから湯沸かし容器へ連続して給水する最大量は、湯沸かし容器の下部収納部の容量以下である請求項２に記載の電気湯沸かし器とすることにより、貯水タンクから給水された低温の水が下部収納部から溢れて上部収納部に流入することが無く、上部収納部の湯温が低下せず、給水時でも常に高温の湯を取り出すことが可能となる。
【００１１】
請求項４に記載の発明は、給水路は湯沸かし容器内の水の満水量液面よりも上方から湯沸かし容器内に連通し、湯沸かし容器内の下部収納部に連通する請求項２または３に記載の電気湯沸かし器とすることにより、給水時に湯沸かし容器の内部の湯で温度が上昇し湯沸かし容器内の下部収納部に供給される。そして、給水路は湯沸かし容器内に位置しているので、湯沸かし容器外へ熱が流出することを防止することができる。
【００１２】
請求項５に記載の発明は、隔離部材には、下部収納部から上部収納部の方向に気体または水が移動できる逆止弁を設けた請求項１〜４のいずれか１項に記載の電気湯沸かし器とすることにより、下部収納部内で沸騰現象が発生しても逆止弁を通って上部収納部に抜けるので、内圧の上昇を防止することができ、十分に沸騰させることが可能となる。
【００１３】
請求項６に記載の発明は、隔離部材を湯沸かし容器の底部に着脱可能に配置した請求項１〜５のいずれか１項に記載の電気湯沸かし器とすることにより、隔離部材および湯沸かし容器内を簡単に手入れすることが可能となる。
【００１４】
請求項７に記載の発明は、水を収容する貯水タンクと、前記貯水タンクから供給される水を収容する湯沸かし容器と、前記湯沸かし容器内の水を加熱する加熱手段と、前記貯水タンクの水を前記湯沸かし容器に送るための給水路と、前記湯沸かし容器内の水を器体外に取り出すための導出路とを備え、前記導出路の前記湯沸かし容器への受水口は前記給水路の前記湯沸かし容器への給水口よりも上方に設けた電気湯沸かし器とすることにより、湯沸かし容器内で湯が保温されている場合、貯水タンクから供給された水は湯沸かし容器内の湯よりも比重が重いため、湯沸かし容器の下部から順に蓄積され、給水された温度の低い水が直ちに受水口に流れ込むことはない。したがって、給水直後でも高温の湯を取り出すことができる。
【００１５】
請求項８に記載の発明は、貯水タンクから湯沸かし容器へ連続して給水する最大量は、湯沸かし容器の受水口よりも下部の液量以下である請求項７に記載の電気湯沸かし器とすることにより、給水時に湯沸かし容器の底部に蓄積される水の水位が受水口の位置以下のとなり、給水直後であっても温度の低い水が受水口に流れ込むことを防止することができる。
【００１６】
【実施例】
以下、本発明の実施例について、図面を参照しながら説明する。
【００１７】
（実施例１）
図１は本発明の実施例１における電気湯沸かし器を示すものである。
【００１８】
図に示すように、電気湯沸かし器の本体内には、湯沸かし容器１が設けられている。湯沸かし容器１は、ステンレス鋼板で円筒状に形成され、内部に水２を収容しており、底面には加熱手段３が取り付けられている。加熱手段３の定格消費電力は１０００Ｗで、保温時は７５Ｗである。
【００１９】
また、給湯手段であるポンプ４、受水口５ａを湯沸かし容器１に開口し途中にポンプ４を設けた導出路５、導出路５と接続し器体外に吐出口６ａを臨ませた吐出パイプ６、湯沸かし容器１の上部開口部を覆った蓋体７、および給水口１７ａを湯沸かし容器１に開口した給水路１７がそれぞれ湯沸かし容器１と関係づけて設けられている。
【００２０】
前記した蓋体７には、湯沸かし容器１側に蒸気抜き穴８ａが設けられており、湯沸かし容器１内で発生した蒸気は前記蒸気抜き穴８ａから蓋体７内部の蒸気通路８ｃを通り蒸気口８ｂから器体外に導出されるようになっている。
【００２１】
また、前記した導出路５には、水位検知手段である水位センサ９が設けられている。これは、満水位検知素子９ａ、給水位検知素子９ｂ、および加熱停止水位検知素子９ｃという、３つの水位検知素子を具備しており、各水位検知素子は発光素子および受光素子が組み合わされて構成され、導出路５内のフロート１８の位置を検知して各水位に到達しているか否かの検知を行っている。満水位検知素子９ａは、湯沸かし容器１内の水２の水量が、湯沸かし容器１内に収容する水２の上限水位である満水位Ａ１（第一の水位）になっているかどうかを検知する。給水位検知素子９ｂは、水２の水量が湯沸かし容器１内への給水を開始する水位Ａ２（第二の水位）に達したことを検知する。加熱停止水位検知素子９ｃは、水２の水量が湯沸かし容器１内に収容する水２の下限水位Ａ３（本実施例では湯沸かし容器１底面のわずか上の水位）に達したことを検知する。加熱停止水位検知素子９ｃは湯沸かし容器１内への給水が充分にされていないとき等、空焚きを防止するために、水２の水量が下限水位に達すると加熱手段３による加熱動作を停止するために設けられている。
【００２２】
さらに、水位センサ９の検知信号に基づき機器を制御する制御部１０を備えており、湯沸かし容器１内の水２の水量が第二の水位Ａ２まで低下すると、湯沸かし容器１内に給水するようになっている。
【００２３】
さらにまた、湯沸かし容器１に対し着脱自在に貯水タンク１１が併設され、収容した水２を湯沸かし容器１に供給するものである。貯水タンク１１は、その上部にタンク蓋１１ａが設けてあり、補給時にはこのタンク蓋１１ａを取り外し上部より給水することができるようになっている。また、貯水タンク１１内には、給水ポンプ１３と揚水路１４を具備する給水手段１２、貯水タンク１１外部に連通する注入口１６の周りに形成された水受け部１５、およびタンク弁１９が設けられている。
【００２４】
給水ポンプ１３は、給水ポンプ駆動モータ１３ａと磁気結合されており、湯沸かし容器１内の水２の水量が第二の水位Ａ２まで低下すると、先述したように、制御部１０からの信号により駆動されるものである。給水ポンプ１３が駆動されると、貯水タンク１１に収容されている水２が揚水路１４（給水手段１２）を通り、揚水路出口１４ａ（給水手段１２）から水受け部１５に注がれ、水受け部１５の底部に設けた注入口１６から貯水タンク１１の外に排出される。
【００２５】
貯水タンク１１が、電気湯沸かし器の本体に装着され、湯沸かし容器１と併設されている場合には、注入口１６を閉とすべくバネ付勢（図示せず）されているタンク弁１９は持ち上げられ、注入口１６が開となっているので、貯水タンク１１の注入口１６から排出された水２は給水路１７の上端に注入されることになり、給水口１７ａから湯沸かし容器１へ供給される。
【００２６】
水受け部１５に給水手段１２により給水された水２の単位時間あたりの供給量は、注入口１６から排出される単位時間あたりの排出量よりも多くしているもので、その差の給水された水２は、溢水部１５ａから貯水タンク１１内に帰還する。すなわち、貯水タンク１１内の水２の一部は、給水手段１２を経路として貯水タンク１１内を循環することになる。この結果として、注水口１６から排出される水量は、給水手段１２の給水量に、大きく依存することがなくなる。
【００２７】
タンク弁１９は、シリコーンゴムなどの軟質製のゴムからなっている。これは貯水タンク１１に水を補給し運搬するときに振動により注入口１６から水がこぼれないようにしたものである。ところで、湯沸かし容器１の側面に貯水タンク１１を配する本実施例のような構成では、水の補給は上部より行うのが補給しやすい。そのため、補給時にはこのタンク蓋１１ａを取り外して上部より給水するが、このような方法で給水すると、給水の一部がタンク弁１９に直接かかることになる。タンク弁１９は軟質製のゴムより構成されているため、タンク弁１９に繰り返し給水が直接かかると損傷しその役割を充分果たせなくなる恐れがある。そこで本実施例ではタンク弁１９の上方にカバー２０を設けている。
【００２８】
ここで、本実施例における電気湯沸かし器は、湯沸かし容器１内を上部収納部１ａと下部収納部１ｂとに分割する椀状の隔離部材２９を備え、上部収納部１ａに給水路１７を連通して貯水タンク１１の水を給水し、下部収納部１ｂに導出路５を連通して湯沸かし容器１内の水（湯）を器体外に取り出すようにし、加熱手段３は下部収納部１ｂを加熱するようにしている。そして、隔離部材２９は上方に凸で下部を開口した椀を伏せた形状で厚さ方向の内部は中空で均等な隙間をもたせることで断熱性をもたせ、ポリフェニレンサルファイドなどの樹脂材料またはステンレス鋼などからなり、見かけ上の比重は１以上である。
【００２９】
また、隔離部材２９の上部中央には逆止弁３０を設け、隔離部材２９に設けた穴に上方から差し込まれ上下に遊びを有している。逆止弁３０は、常時、自重により穴を閉塞しているもので（密には閉塞していない）、下部収納部１ｂで発生した気体が上部に集まることで、逆止弁３０は簡単に持ち上げられ気体が上部収納部１ａへ抜ける。下部収納部１ｂは、湯沸かし容器１の内底部と隔離部材２９間で形成されているものである。
【００３０】
上記した構成において、湯沸かし容器１内の水位が第二の水位Ａ２以下になると、給水路１７には安定した水量の水が注入されるので、湯沸かし容器１の上部収納部１ａと連通する位置にある給水口１７ａより安定した水量の水２が自動的に追加される。なお、給水口１７ａは湯沸かし容器１の側面に連通していてもよい。そして、満水位検知素子９ａが、水２の水位が満水位Ａ１に到達したのを検知すると、制御部１０がこれを認識して、給水ポンプ駆動モータ１３ａの駆動を停止するので、給水ポンプ１３が停止し、水の湯沸かし容器１内への補充は中止される。
【００３１】
なお、湯沸かし容器１内への水２の供給量の制御方法は、上記のように、水位センサ９により水位を検知して、その検知結果に従って給水ポンプ１３を駆動したり、停止したりする方法に限定されるものではなく、例えば、必要な時間、給水ポンプ１３を駆動し必要な水量が得られるようにしても良い。また、水受け部１５は貯水タンク１１の一部として一体形成してもよいし、別部品としても良いものである。
【００３２】
また、給水ポンプ１３により揚水して注入口１６に導くとともに、揚水路１４から注入口１６に至る途中において、揚水路１４で揚水された水を溢水可能とすることにより、湯沸かし容器１に所定量以上給水されることをなくすことが可能になる。この溢水構成は、揚水路出口１４ａと水受け部１５との間に大気に開放された空間を設けることにより容易に得られる。この溢水部を設けることにより、貯水タンク１１から湯沸かし容器１への給水時に、通常は水位センサ９によって水２が満水位検知素子９ａまで給水されたことをフロート１８の位置を検知して給水ポンプ１３を停止させるが、水位センサ９が何らかの異常により水位を誤検知したり、制御部１０の異常などにより給水ポンプ１３が停止したりしない場合でも、湯沸かし容器１内の水量が水受け部１５以上に達すると、水２は水受け部１５の上端から貯水タンク１１内に溢水するため、それ以上湯沸かし容器１へ給水されることはない。
【００３３】
また、溢水のさせ方としては水受け部１５の一部に切り欠き部１５ａを設け、この部分より溢水するようにすると、溢水方向が一定になるとともに、揚水路出口１４ａと水受け部１５との間に空間を設ける必要はなくなる。
【００３４】
また、本実施例によれば、給水手段１２により給水された水を受けるとともに注水口１６に水を導く水受け部１５を有し、水受け部１５は貯水タンク１１内に水を溢水可能としたので、給水手段１２からの水の供給量と注入口１６から貯水タンク１１外に導出される水（すなわち給水路１７内に注入される水の流量）の差は、水受け部１７で溢水され貯水タンク１１内に戻ることになる。このため、給水手段１２の給水量の変化あるいはバラツキの影響を緩和して、給水口１７ａから湯沸かし容器１内への水の供給を安定化させることができる。
【００３５】
そして、湯沸かし容器１は、下部収納部１ｂに収容している水２を底部に付設した加熱手段３により所定温度の約９５℃まで加熱し、または所定温度に保温する。隔離部材２９はその断熱構造により下部収納部１ｂ内の熱を上部収納部１ａに伝え難く、加熱手段３からの熱は下部収納部１ａだけを加熱保温する。
【００３６】
また、上部収納部１ａは下部収納部１ｂからの熱流入が少ないだけでなく側面と天面から放熱するために、下部収納部１ｂ内で約９５℃に維持された湯に比べて、上部収納部１ａの湯温は約８０℃と低い。結果として保温に必要な電気エネルギーは少なくすることができる。
【００３７】
また、下部収納部１ｂ内を加熱するので、湯沸かし容器１内の全ての水を加熱するのに比べて短時間で沸騰させることができる。下部収納部１ｂ内の水２は、給湯手段であるポンプ４によって導出路５を通り吐出パイプ６より器体外へ導出される。この場合、上部収納部１ａ内の水は、逆止弁３０が密ではないため、適宜、下部収納部１ｂ内に流入し加熱されることになる。
【００３８】
なお、受水口５ａから一番離れた位置の隔離部材２９部分に上部収納部１ａ内との連通部を設けることによっても、上部収納部１ａ内の水を下部収納部１ｂ内へ流入させることができる。
【００３９】
なお、隔離部材２９は湯沸かし容器１内から着脱可能であるので、隔離部材２９を取り外して湯沸かし容器１の底面などを洗浄するなど手入れすることが可能である。
【００４０】
（実施例２）
図２は本発明の実施例２における電気湯沸かし器を示すものである。実施例１と基本構成は同じであるので、相違点についてのみ説明する。
【００４１】
図に示すように、給水口１７ａは湯沸かし容器１の下部収納部１ｂ内に連通している。また受水口５ａは上部収納部１ａに連通している。そして、加熱手段３により下部収納部１ｂ内の湯を加熱沸騰させるようになっている。
【００４２】
上記構成とすることで、加熱手段３による加熱により、下部収納部１ｂ内の湯が膨張し上昇し、逆止弁３０から上部収納部１ａに噴出させる。これにより、上部収納部１ａ内の湯温を約８０℃から９５℃の所望の温度に保温する。貯水タンク１１から給水を行う場合、下部収納部１ｂに給水され、温度の低い水は湯沸かし容器１内の温度の高い水よりも比重が小さく上昇しないので、下部収納部１ｂの底面に貯まり、下部収納部１ｂにあった湯温の高い湯は逆止弁３０から上部収納部１ａに押し出される。一度に連続して給水する水量を下部収納部の容量以下とすることで、上部収納部１ａに温度の低い水が流入することを防止することができる。給水された下部収納部１ｂ内の水を加熱手段３で加熱沸騰させ、湯沸かし容器１内の水位が満水位Ａ１に到達するか、貯水タンク１１内の水が無くなるまで、給水と湯沸かしを繰り返す。以上により、上部収納部１ａ内の湯温を低下させることなく給水を行うことが可能となり、給水中でも高温の湯を取り出すことできる。
【００４３】
（実施例３）
図３は本発明の実施例３における電気湯沸かし器を示すものである。実施例１、２と基本構成は同じであるので、相違点についてのみ説明する。
【００４４】
図に示すように、給水路１７は湯沸かし容器１内の水の満水位Ａ１液面よりも上方から湯沸かし容器１内に連通し、湯沸かし容器１内の隔離部材２９の上部に接続して下部収納部１ｂに連通させている。
【００４５】
これにより、湯沸かし容器１内の湯を湯沸かし保温する時には、給水路１７内にも湯沸かし容器１内の湯が連通しているため、給水路１７内の湯温が高くなり下部収納部１ｂに供給される。そして、給水路１７の満水位Ａ１以下の部分は湯沸かし容器１内に位置するので、湯沸かし容器１外へ熱が流出することを防止することができる。
【００４６】
（実施例４）
図４、図５は本発明の実施例４における電気湯沸かし器を示すものである。実施例１〜３と基本構成は同じであるので、相違点についてのみ説明する。
【００４７】
図４に示すように、湯沸かし容器１内の水２を器体外に取り出すための導出路５の湯沸かし容器１への受水口５ａは、湯沸かし容器１内に突出させることにより、給水路１７の湯沸かし容器１への給水口１７ａよりも上方に設けている。
【００４８】
これにより、湯沸かし容器１内で水２が保温されている場合、貯水タンク１１から給水された水２ｂは温度が低く湯沸かし容器１内の水２ａよりも比重が重いため、湯沸かし容器１の下部から順に蓄積されていく。受水口５ａの位置を給水口１７ａよりも高い位置に設けているので、給水された温度の低い水２ｂが直ちに受水口５ａに流れ込むことはない。すなわち、一度に連続して給水する水の最大量を湯沸かし容器１の受水口５ａよりも下部の液量以下とすることで、給水直後においても高温の湯を取り出すことができる。そして、給水された受水口５ａ以下の水を加熱手段３で加熱沸騰させ、湯沸かし容器１内の水位が満水位Ａ１に到達するか、貯水タンク１１内の水が無くなるまで、給水と湯沸かしを繰り返す。以上により、上部収納部１ａ内の湯温を低下させることなく給水を行うことが可能となり、給水中でも高温の湯を取り出すことできる。
【００４９】
なお、図５に示すように、受水口５ａの給水口１７ａ側に堰３１を設けて湯沸かし容器１内を区画し、結果的に、受水口５ａを給水口１７ａよりも上方に設けるようにしても、同様の効果を得ることができる。
【００５０】
【発明の効果】
以上のように、本発明の電気湯沸かし器によれば、湯沸かし容器に水が供給された直後でも、設定した温度の水を取り出すことが可能となるものである。
【図面の簡単な説明】
【図１】本発明の実施例１における電気湯沸かし器の断面図
【図２】本発明の実施例２における電気湯沸かし器の断面図
【図３】本発明の実施例３における電気湯沸かし器の断面図
【図４】本発明の実施例４における電気湯沸かし器の断面図
【図５】同電気湯沸かし器の他の例を示す断面図
【符号の説明】
１  湯沸かし容器
１ａ  上部収納部
１ｂ  下部収納部
２  水
３  加熱手段
５  導出路
５ａ  受水口
１１  貯水タンク
１７  給水路
１７ａ  給水口
２９  隔離部材
３０  逆止弁
【図１】
2004350830.tif 000003
【図２】
2004350830.tif 000004
【図３】
2004350830.tif 000005
【図４】
2004350830.tif 000006
【図５】
2004350830.tif 000007